(57)【要約】【課題】スピニングリールの釣り糸案内機構において、支持部材の軽量化を図るとともにコストの増加を抑える。【解決手段】第１ベール支持部材４０は、第１ロータアーム３１の先端に揺動自在に装着されている。第１ベール支持部材は、金属製の外側部材９１と、合成樹脂製の内側部材９２とを有している。内側部材９２は、外側部材９１の内側面に固定され固定部材９０が挿通される第１貫通孔９１ｂが内周部に形成された部材である。【選択図】図３
2013202006.tif 000002
【特許請求の範囲】
【請求項１】
ロータアームの先端に糸案内姿勢と糸開放姿勢とに揺動自在に装着され釣り糸をスプールに案内するスピニングリールの釣り糸案内機構であって、
前記ロータアームの先端に揺動自在に装着された支持部材と、
前記支持部材を前記ロータアームの先端に揺動自在に支持する固定部材と、を備え、
前記支持部材は、金属製の外側部材と、前記外側部材の内側面に固定され前記固定部材が挿通される貫通孔が内周部に形成された合成樹脂製の内側部材とを有している、スピニングリールの釣り糸案内機構。
【請求項２】
前記外側部材は、外側面がめっき処理されたアルミニウム合金及びマグネシウム合金のいずれかを含む軽金属製である、請求項１に記載のスピニングリールの釣り糸案内機構。
【請求項３】
前記外側部材は、内側面が開口する凹部を有し、
前記内側部材は、前記凹部に装着固定される、請求項１又は２に記載のスピニングリールの釣り糸案内機構。
【請求項４】
前記内側部材は、前記外側部材の内側面にねじ止め固定される、請求項１から３のいずれか１項に記載のスピニングリールの釣り糸案内機構。
【請求項５】
前記内側部材は、前記外側部材の内側面に溶着固定される、請求項１から４のいずれか１項に記載のスピニングリールの釣り糸案内機構。
【請求項６】
前記支持部材に一端が固定された固定軸と、
前記固定軸に回動自在に支持され、周面に前記釣り糸を案内するローラが形成されたラインローラと、をさらに備えている、請求項１から５のいずれか１項に記載のスピニングリールの釣り糸案内機構。
【請求項７】
釣竿に装着され、釣り糸を前方に繰り出し可能なスピニングリールであって、
前記釣竿に装着されたリール本体と、
前記リール本体に前後方向に沿って移動可能に装着されたスプール軸と、
前記スプール軸の前端に装着され、外周に前記釣り糸が巻き付けられるスプールと、
前記スプールの外周側に回転可能に設けられ、先端に前記ロータアームを有し、前記釣り糸を前記スプールに巻き付けるロータと、
前記請求項１から６に記載された前記釣り糸案内機構と、
を備えたスピニングリール。
【発明の詳細な説明】
【技術分野】
【０００１】
本発明は、釣り糸案内機構、特に、ロータアームの先端に糸案内姿勢と糸開放姿勢とに揺動自在に装着され釣り糸をスプールに案内するスピニングリールの釣り糸案内機構及びスピニングリールに関する。
【背景技術】
【０００２】
スピニングリールには、釣り糸をスプールに案内する釣り糸案内機構がロータの先端に設けられている。ロータは、リール本体に回転自在に装着された円筒部と、円筒部の後部に対向して一体で形成された第１ロータアーム及び第２ロータアームを有している。釣り糸案内機構は、この２つのロータアームの先端に糸案内姿勢と糸開放姿勢との間で揺動自在に装着されている。この種の釣り糸案内機構は、第１ロータアームに揺動自在に設けられた第１支持部材と、第２ロータアームの先端に揺動自在に設けられた第２支持部材と、両支持部材を連結するベールとを有している。第１支持部材の先端には、釣り糸を案内するためのラインローラと、ラインローラを支持するための固定軸及び固定軸カバーとが装着されている。第１支持部材は支持部材の一例である。ベールの一端は固定軸カバーに固定されている。ベールの他端は第２支持部材にかしめ固定されている（たとえば、特許文献１参照）。第１支持部材と第１ロータアームとの間には、ベール反転機構が設けられる。ベール反転機構は、糸開放姿勢にある釣り糸案内機構をロータの糸巻取方向の回転に連動して糸巻取姿勢に戻す機構である。
【０００３】
このような釣り糸案内機構では、第１ロータアームに揺動自在に装着される第１支持部材は、アルミニウム合金により形成され、支持部材の外側面には、外周部の傷付きを防止するため、めっき処理によるめっき層が形成されている。支持部材の内側面には、ベール反転機構を連結するための係合部等の連結構造、及び支持部材の揺動範囲を規制するための突起等の規制構造を含む複雑な形状が形成されている。
【先行技術文献】
【特許文献】
【０００４】
【特許文献１】特開平１０−２３４２７７号公報
【発明の概要】
【発明が解決しようとする課題】
【０００５】
前記従来の釣り糸案内機構は、支持部材が金属製であるため、軽量化を図りにくい。また、金属製の支持部材にベール反転機構との連結構造及び支持部材の揺動範囲の規制構造を形成しなければならないので、機械加工が必要になり、支持部材の製造コストが増加する。
【０００６】
本発明の課題は、スピニングリールの釣り糸案内機構において、支持部材の軽量化を図るとともにコストの増加を抑えることにある。
【課題を解決するための手段】
【０００７】
発明１に係るスピニングリールの釣り糸案内機構は、ロータアームの先端に糸案内姿勢と糸開放姿勢とに揺動自在に装着され釣り糸をスプールに案内するスピニングリールの釣り糸案内機構であって、支持部材と、固定部材とを備えている。支持部材は、ロータアームの先端に揺動自在に装着されている。固定部材は、支持部材をロータアームの先端に揺動自在に支持している。支持部材は、金属製の外側部材と、合成樹脂製の内側部材とを有している。内側部材は、外側部材の内側面に固定され固定部材が挿通される貫通孔が内周部に形成された部材である。
【０００８】
この釣り糸案内機構では、支持部材は、金属製の外側部材と合成樹脂製の内側部材とにより構成される。これにより支持部材全体を金属によって形成する場合に比べて支持部材が軽量化し、釣り糸案内機構の軽量化を図れる。また、支持部材の内側面に形成される構造を機械加工ではなく成形によって形成できるため、支持部材の製造コストの増加を抑えることができる。
【０００９】
発明２に係るスピニングリールの釣り糸案内機構は、発明１の釣り糸案内機構において、外側部材は、外側面がめっき処理されたアルミニウム合金及びマグネシウム合金のいずれかを含む軽金属製である。
【００１０】
この場合には、アルミニウム合金製又はマグネシウム合金製の外側部材は、外側面にめっき処理が施された部材であるので、支持部材の外周部の傷付きを防止できる。さらに、ここでは、内側部材は、固定部材が挿通される貫通孔が内周部に形成された合成樹脂製の部材であるので、従来のように貫通孔の周囲にめっき膨れが生じることがなくなる。したがって、支持部材はロータアームに対して滑らかに揺動するので、支持部材の動作不良が発生するのを防止できる。
【００１１】
発明３に係る釣り糸案内機構は、発明１又は２の釣り糸案内機構において、外側部材は、内側面が開口する凹部を有している。内側部材は、凹部に装着固定されている。この場合、内側部材を外側部材の凹部に装着固定しているので、内側部材が内側に突出することなくコンパクトに配置できる。
【００１２】
発明４に係る釣り糸案内機構は、発明１から３のいずれかの釣り糸案内機構において、内側部材は、外側部材の内側面にねじ止め固定されている。この場合、内側部材の外側部材に対する着脱を容易に行える。
【００１３】
発明５に係る釣り糸案内機構は、発明１から３のいずれかの釣り糸案内機構において、内側部材は、外側部材の内側面に溶着固定されている。この場合、内側部材の外側部材に対する固定が強固になる。
【００１４】
発明６に係る釣り糸案内機構は、発明１から５のいずれかの釣り糸案内機構において、固定軸とラインローラとをさらに備えている。固定軸は、支持部材に一端が固定されている。ラインローラは、固定軸に回動自在に支持され、周面に釣り糸を案内するローラが形成されている。この場合、固定軸及びラインローラを有する第１支持部材の外周部の傷付きを防止できるとともに、第１支持部材の動作不良が発生するのを防止できる。
【００１５】
発明７に係るスピニングリールは、釣竿に装着され釣り糸を前方に繰り出し可能なスピニングリールであって、釣竿に装着されたリール本体と、リール本体に前後方向に沿って移動可能に装着されたスプール軸と、スプール軸の前端に装着され外周に釣り糸が巻き付けられるスプールと、スプールの外周側に回転可能に設けられ先端にロータアームを有し釣り糸をスプールに巻き付けるロータと、発明１から６に記載された釣り糸案内機構とを備えている。
【発明の効果】
【００１６】
本発明によれば、支持部材は、金属製の外側部材と合成樹脂製の内側部材とにより構成される。これにより支持部材全体を金属によって形成する場合に比べて支持部材が軽量化し、釣り糸案内機構の軽量化を図れる。また、支持部材の内側面に形成される構造を機械加工ではなく成形によって形成できるため、支持部材の製造コストの増加を抑えることができる。
【図面の簡単な説明】
【００１７】
【図１】本発明の一実施形態によるスピニングリールの側面図。
【図２】前記スピニングリールの側面断面図。
【図３】第１ベール支持部材の拡大断面図。
【図４】前記第１ベール支持部材の斜視図。
【図５】ベールアームの拡大断面図。
【図６】ベールアームの先端部分の平面図。
【図７】抜け止め部材の内側から見た拡大正面図。
【図８】他の実施形態の図３に相当する図。
【図９】他の実施形態の図４に相当する図。
【発明を実施するための形態】
【００１８】
本発明の一実施形態を採用したスピニングリールは、図１に示すように、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。なお、ハンドル１は、リール本体２の左右いずれにも装着可能である。
【００１９】
リール本体２は、図２に示すように、内部に空間を有するリールボディ２ａと、リールボディ２ａの空間を塞ぐためにリールボディ２ａに着脱自在に装着される蓋部材２ｂ（図１参照）とを有している。また、リール本体２は、リールボディ２ａ及び蓋部材２ｂの後部を覆う本体ガード２ｄを有している。
【００２０】
リールボディ２ａは、図２に示すように、たとえばマグネシウム合金やアルミニウム合金等の軽合金製のものであり、上部に前後に延びるＴ字形の竿取付脚２ｃが一体形成されている。リールボディ２ａの空間内には、図２に示すように、ロータ駆動機構５と、オシレーティング機構６とが設けられている。
【００２１】
蓋部材２ｂは、図１に示すように、たとえば、マグネシウム合金やアルミニウム合金等の軽合金製のものである。蓋部材２ｂは、たとえば、ロータ３で隠れる前側の２箇所で固定ボルトによりリールボディ２ａに固定されているとともに、ロータ３から離反する後側の１箇所で固定ボルトによりリールボディ２ａに固定されている。
【００２２】
ロータ駆動機構５は、図２に示すように、ハンドル１が固定されたマスターギア軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ第１軸受１４ａ、第２軸受１４ｂを介してリール本体２に回転自在に支持されている。
【００２３】
オシレーティング機構６は、図２に示すように、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２４】
ロータ３は、図２に示すように、リール本体２に対して前後方向の軸回りに回転自在なロータ本体７と、ロータ本体７の後部を覆う第１カバー部材３３と、第１ロータアーム３１及び第２ロータアーム３２の外側面を覆う１対の第２カバー部材３４及び第３カバー部材３５とを有している。
【００２５】
ロータ本体７は、図２に示すように、たとえばアルミニウム合金製であり、ピニオンギア１２に回転不能に連結され、リール本体２に対して回転自在である。ロータ本体７は、リール本体２の前部である円筒部を内部に配置可能に後部に形成された凹陥部を有する筒部３０と、筒部３０の後部の対向する位置に接続され筒部３０と間隔を隔てて前方に延びる第１ロータアーム３１及び第２ロータアーム３２とを有している。
【００２６】
筒部３０は、図２に示すように、前部内周側に円板状の壁部を有し、壁部の中心部には、ピニオンギア１２と一体回転可能に連結される環状のボス部が形成されている。このボス部の中心にピニオンギア１２の前部が回転不能に係止され、ピニオンギア１２の先端にねじ込まれたナット１３により、ロータ本体７がピニオンギア１２に固定されている。
【００２７】
第１カバー部材３３は、筒部３０の周囲でロータ本体７の後部を覆うように構成されている。第２カバー部材３４は、第１ロータアーム３１の外方を覆うものであり、第１ロータアーム３１にねじ込まれる固定ボルトにより第１ロータアーム３１に連結されている。
【００２８】
第２カバー部材３４は、図２に示すように、第１カバー部材３３及び第１ロータアーム３１と三次元的な曲線で接合している。第２カバー部材３４の先端部は、後述する第１ベール支持部材４０（本発明の支持部材の一例）を配置可能に概ね半円形に切り欠かれる。
【００２９】
第３カバー部材３５は、図２に示すように、第２ロータアーム３２の外方を覆うものであり、固定ボルト及びそれに螺合するナット部材により第２ロータアーム３２に固定される。第３カバー部材３５も第１カバー部材３３及び第２ロータアーム３２と三次元的な曲線で接合している。固定ボルトは、第３カバー部材３５をロータ本体７に固定するするとともに、後述する第２ベール支持部材４２を揺動自在に支持する機能も有している。
【００３０】
第１ロータアーム３１及び第２ロータアーム３２の先端には、ベールアーム４４（釣り糸案内機構の一例）が揺動自在に装着されている。ベールアーム４４は、第１ベール支持部材４０と、第２ベール支持部材４２と、ベール４３と、固定軸４５と、ラインローラ４１と、固定軸カバー４６と、を有している。第１ベール支持部材４０は、支持部材の一例である。ベールアーム４４は、図２に示す糸案内姿勢とそれから反転した糸開放姿勢との間で揺動自在である。
【００３１】
第１ベール支持部材４０は、第１ロータアーム３１の先端に揺動自在に装着される部材である。第１ベール支持部材４０は、図３及び図４に示すように、外側面にめっき処理が施されたアルミニウム合金製の外側部材９１と、外側部材９１の内側面に固定される合成樹脂製の内側部材９２と、を有している。第１ベール支持部材４０は、ボルトの形態の固定部材９０により第１ロータアーム３１の外側に揺動自在に支持される。固定部材９０は、頭部９０ａと、頭部９０ａより小径のねじ軸９０ｂと、を有している。
【００３２】
外側部材９１は、図３に示すように、外側面が滑らかに湾曲して、例えばダイキャストにより形成されたアルミニウム合金製の部材である。外側部材９１の外周面にはめっき処理によるめっき層が形成されている。外側部材９１は、凹部９１ａと、第１貫通孔９１ｂと、ねじ穴９１ｃと、を有している。凹部９１ａは、前方側（図３左側）の内側面に凹んで形成される。第１貫通孔９１ｂは、後方側（図３右側）の内外側面を貫通する。第１貫通孔９１ｂを貫通して固定部材９０が第１ロータアーム３１にねじ込まれる。ねじ穴９１ｃは、凹部９１ａの前端内側面に凹んで形成される。ねじ穴９１ｃには、内側部材９２を外側部材９１に固定するねじ部材９３が螺合する。
【００３３】
内側部材９２は、凹部９１ａに装着され固定されている。内側部材９２は、ねじ部材９３によって外側部材９１の内側面にねじ止め固定される。内側部材９２は、図４に示すように、射出成型により形成された合成樹脂製部材である。内側部材９２は、第１部分９２ａと、第１部分９２ａと一体形成された第２部分９２ｂと、を有している。第１部分９２ａは、後方側（図４下側）に形成される。第１部分９２ａの中央部には、固定部材９０の頭部９０ａが配置される座繰り凹部９２ｇと、固定部材９０の軸部９０ｂが挿入される第２貫通孔９２ｃと、が形成される。第２貫通孔９２ｃは、図３に示すように、第１部分９２ａの内外を貫通する貫通孔であって、第１貫通孔９１ｂと連通している。第２貫通孔９２ｃの周囲の内側部材９２の内側面には、図４に示すように、第１ベール支持部材４０の揺動範囲を規制する規制突起９２ｅと、図示しないベール反転機構のトグルバネ機構を係止する係止穴９２ｆと、が形成される。また、内側面には、軽量化を図るための複数の肉盗み部が形成されている。
【００３４】
第２部分９２ｂは、後方側（図４下側）で第１部分９２ａと一体で形成される。第２部分９２ｂは、外側部材９１の凹部９１ａに装着される。第２部分９２ｂの前端部には、図３に示すように、内外を貫通する段付きの第３貫通孔９２ｄが形成されており、第３貫通孔９２ｄは、外側部材９１のねじ孔９１ｃに連通している。ねじ部材９３は、頭部９３ａと、頭部９３ａより小径のねじ軸９３ｂと有する。ねじ部材９３を内側部材９２の内側から挿入し、頭部９３ａが第３貫通孔９２ｄの周縁部に接触し、ねじ軸９３ｂの先端部が外側部材９１に形成されたねじ孔９１ｃに螺合している。これによって、内側部材９２が外側部材９１の内側面にねじ部材９３によってねじ止め固定される。
【００３５】
固定部材９０は、外側部材９１の外側から外側部材９１の第１貫通孔９１ｂを挿通し、大径の頭部９０ａが第２貫通孔９２ｃの座繰り凹部９２ｇに接触し、ねじ軸９０ｂの先端部が第１ロータアーム３１に形成されたねじ孔３１ａに螺合している。これによって、第１ベール支持部材４０が第１ロータアーム３１に揺動自在に装着される。
【００３６】
第１ベール支持部材４０は、図１から図３に示すように、第１ロータアーム３１に揺動自在に装着される第１回転支持部４０ａと、第１回転支持部４０ａから前方に延びる第１アーム部４０ｂと、概ね円形の第１装着部４０ｃと、を有している。第１回転支持部４０ａは、外側部材９１と内側部材９２とに設けられる。第１アーム部４０ｂは、概ね外側部材９１に設けられる。第１装着部４０ｃは、全部が外側部材９１に設けられる。第１装着部４０ｃは、第１アーム部４０ｂの先端に一体成形される。第１装着部４０ｃには、ベールアーム４４のラインローラ４１、固定軸４５及び固定軸カバー４６が装着される。
【００３７】
第１装着部４０ｃは、図５及び図６に示すように、凹部４０ｄと、第４貫通孔４０ｅと、第５貫通孔４０ｇと、を有している。凹部４０ｄは、固定軸４５にねじ止めされる固定ボルト４７が取り付けられる部分の周囲の形状が略雨滴形状となるように内側（図５左側）に凹んで形成される。第５貫通孔４０ｇは、凹部４０ｄの略雨滴形状の略大円形の基端部に形成される。第５貫通孔４０ｇには、固定ボルト４７が挿入される。第４貫通孔４０ｅは、凹部４０ｄの略雨滴形状の略小円形の先端部に形成される。第４貫通孔４０ｅは、第１ベール支持部材４０の内側からキャップ部材８０を装着するために設けられる。キャップ部材８０装着用の第４貫通孔４０ｅは、図５に示すように、固定ボルト４７装着用の第５貫通孔４０ｇの近傍に配置される。第４貫通孔４０ｅは、第５貫通孔４０ｇに固定ボルト４７を装着した状態で第１ベール支持部材４０の外部からラインローラ４１のローラ４１ａ内周部を臨むように貫通する貫通孔である。第４貫通孔４０ｅは、径方向内側に突出した段差部４０ｆを有している。第４貫通孔４０ｅは、第１ベール支持部材４０の内側からキャップ部材８０を装着したときに、キャップ部材８０の外側面が段差部４０ｆに接触することによって、キャップ部材８０が第１ベール支持部材４０の外側に突出しないように位置決めされる。
【００３８】
キャップ部材８０は、第１ベール支持部材４０の第４貫通孔４０ｅに第１ベール支持部材４０の内側から装着される略円筒状の合成樹脂製の部材である。キャップ部材８０は、ラインローラ４１の内周部に潤滑油を注油するための中央部に細孔からなる注油孔８０ａを有する環状部材である。キャップ部材８０は、キャップ部材８０の内側面に接触するように板状の抜け止め部材８１を第１ベール支持部材４０の内側から押圧するように装着することによって、第１ベール支持部材４０に固定される。
【００３９】
抜け止め部材８１は、図５、図６及び図７に示すように、中央部に第１ベール支持部材４０の固定ボルト４７装着用の第５貫通孔４０ｇと連通する第６貫通孔８１ａと、両側の一部が切り欠かれ一方側が第１ベール支持部材４０の第４貫通孔４０ｅ及びキャップ部材８０の注油孔８０ａと連通する２つの切り欠き部８１ｂとを有している。第６貫通孔８１ａは、図６に示すように、内形が略矩形の非円形孔となるように形成されており、固定軸４５の先端部の非円形部４５ａ（図５参照）に相対回転不能に係合している。このため、抜け止め部材８１をラインローラ４１の構成部品と同時に組み立てることができる。これにより、抜け止め部材８１が組立時に脱落しにくくなる。
【００４０】
ラインローラ４１は、図５に示すように、第１ベール支持部材４０の先端に設けられ釣り糸をスプール４に案内する部材である。ラインローラ４１は、外周面に釣り糸を案内する溝が形成された筒状のローラと、ローラの内周側に軸方向に間隔を隔てて配置された２つの軸受とを有している。ローラは２つの軸受を介して固定軸４５に回動自在に支持されている。
【００４１】
固定軸４５は、第１ベール支持部材４０の先端から突出しラインローラ４１を回転自在に支持する部材である。固定軸４５は、固定軸カバー４６と別体で形成されたアルミニウム合金製のナット部材である。固定軸４５は、固定軸カバー４６側の基端から第１ベール支持部材４０側の先端に向かって延びており、先端が固定ボルト４７により第１ベール支持部材４０に固定されている。
【００４２】
固定軸カバー４６は、固定軸４５の先端に設けられ、ラインローラ４１の外径より大きい外径を有している。固定軸カバー４６は、固定軸４５の基端に第１ベール支持部材４０の装着部と間隔を隔てて設けられ、鍛造等の型成形により形成されている。固定軸カバー４６は、頂点が中心からずれた略円錐形状の部材であり、固定軸４５の中心を基準にしてリールの後方でかつスプール４の径方向外方に頂点が向いている。固定軸カバー４６の頂点より釣り糸案内側に偏倚してベール４３が一体成形され、ベール４３は頂点付近の稜線部分と滑らかに接合されている。
【００４３】
ベール４３は、図１及び図２に示すように、固定軸カバー４６と第２ベール支持部材４２との間を連結して釣り糸をラインローラ４１に案内する部材である。ベール４３は、一端が固定軸カバー４６とステンレス合金の鍛造により一体成形され、他端が第２ベール支持部材４２にかしめ固定された針金状の部材であり、スプール４の周方向外方に凸に湾曲して配置されている。ベール４３は、ベールアーム４４が糸開放姿勢から糸案内姿勢に復帰したときに固定軸カバー４６を介して釣り糸をラインローラ４１に導くためのものである。
【００４４】
第２ベール支持部材４２は、第２ロータアーム３２の先端に揺動自在に装着される部材である。第２ベール支持部材４２は、亜鉛合金によって形成されたアーム部材であり、ベール４３の端部を支持するためのものである。第２ベール支持部材４２は、図１、図２及び図４に示すように、第２ロータアーム３２に揺動自在に装着される第２回転支持部４２ａと、第２回転支持部４２ａから前方に延びる第２アーム部４２ｂと、第２アーム部４２ｂの先端に一体成形されベールアーム４４のベール４３が装着される第２装着部４２ｃとを有している。
【００４５】
ロータ３の筒部３０の内部には、図２に示すように、ロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００４６】
スプール４は、図２に示すように、ロータ３の第１ロータアーム３１と第２ロータアーム３２との間に配置されており、スプール軸１５の先端にドラグ機構６０を介して装着されている。スプール４は、図４に示すように、外周に釣り糸が巻かれる糸巻胴部４ａと、糸巻胴部４ａの後方に糸巻胴部４ａと一体形成された筒状のスカート部４ｂと、糸巻胴部４ａの前端に設けられた大径の前フランジ部４ｃとを有している。
【００４７】
ドラグ機構６０は、図２に示すように、スプール４の回転を制動するものであり、スプール軸１５の先端に螺合するドラグ調整つまみ６１と、ドラグ調整つまみ６１により押圧されてスプール４を制動する制動部６２とを有している。
【００４８】
次にリールの操作及び動作について説明する。
【００４９】
キャスティング時にはベールアーム４４を糸開放姿勢に反転させる。これにより第１ベール支持部材４０及び第２ベール支持部材４２は揺動する。この状態で釣竿を握る手の人差し指で釣り糸を引っかけながら釣竿をキャスティングする。すると釣り糸は仕掛けの重さにより勢いよく放出される。仕掛けが着水した後ハンドル１を釣り糸巻き取り方向に回転させると、ロータ駆動機構５によりロータ３が釣り糸巻き取り方向に回転し、ベールアーム４４が図示しないベール反転機構により糸巻き取り姿勢に復帰しロータ３の逆転が禁止されているので釣り糸の放出が止まる。
【００５０】
釣り糸を巻き取る際には、ハンドル１を釣り糸巻き取り方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。
【００５１】
このようなスピニングリールのベールアーム４４では、第１ベール支持部材４０は、外側面にめっき処理が施されたアルミニウム合金製の外側部材９１と、外側部材９１の内側面に固定され固定部材９０が挿通される第２貫通孔９２ｃが内周部に形成された合成樹脂製の内側部材９２とを有している。ここでは、外側部材９１は、外側面にめっき処理が施されたアルミニウム合金製の部材であるので、第１ベール支持部材４０の外周部の傷付きを防止することができる。さらに、ここでは、内側部材９２は、固定部材９０が挿通される第２貫通孔９２ｃが内周部に形成された合成樹脂製の部材であるので、従来のように第２貫通孔９２ｃの周囲にめっき膨れが生じることがなくなる。したがって、第１ベール支持部材４０は第１ロータアーム３１に対して滑らかに揺動するので、第１ベール支持部材４０の動作不良が発生するのを防止することができる。
【００５２】
〔他の実施形態〕
（ａ）  前記実施形態では、ベール４３と固定軸カバー４６とが一体成形され、固定軸４５と固定軸カバー４６とが別体で形成されていたが、ベール４３、固定軸４５及び固定軸カバー４６を一体成形してもよいし、ベール４３、固定軸４５及び固定軸カバー４６を別体で形成してもよい。また、ベール４３、固定軸４５及び固定軸カバー４６の材質や製造方法は、ステンレス合金やアルミニウム合金以外の他の金属であってもよいし、鍛造や切削加工以外の他の加工方法であってもよい。
【００５３】
（ｂ）  前記実施形態では、第２ベール支持部材４２及びベール４３を有するベールアーム４４であったが、第２ベール支持部材４２及びベール４３を有さないベールレス型のベールアーム４４にも本発明を適用できる。
【００５４】
（ｃ）  前記実施形態では、本発明の支持部材の一例として、第１ベール支持部材４０を例にあげて説明したが、第２ベール支持部材４２に本発明を適用してもよい。
【００５５】
（ｄ）  前記実施形態では、外側部材９１は、固定部材９０が挿入される第１貫通孔９１ｂを有していたが、図８に示すように、第１貫通孔９１ｂを設けないで、固定部材９０を内側部材９２の第２貫通孔９２ｃに挿入し第１ロータアーム３１に固定した後に内側部材９２を外側部材９１に固定するようにしてもよい。この場合には、固定部材９０の頭部が外側部材９１の外部に露出しないので、固定部材９０の頭部に釣り糸が引っ掛かるのを防止できる。
【００５６】
（ｅ）  前記実施形態では、内側部材９２は、外側部材９１の内側面にねじ部材９３によってねじ止め固定されていたが、図９に示すように、内側部材９２を外側部材９１の内側面に溶着固定してもよい。
【００５７】
（ｆ）  前記実施形態では外側部材９１は、ダイキャストによって形成したが、鍛造によって形成してもよい。また、外側部材の材質はアルミニウム合金の他にマグネシウム合金又はステンレス合金でもよい。さらに、ステンレス合金製の薄板をプレス加工して外側部材を形成してもよい。ステンレス合金を用いた場合は表面のメッキ処理は施さなくてよい。
【符号の説明】
【００５８】
４  スプール
３１  第１ロータアーム
４０  第１ベール支持部材
４１  ラインローラ
４４  ベールアーム
４５  固定軸
９０  固定部材
９１  外側部材
９１ａ  凹部
９２  内側部材
９２ｃ  第２貫通孔
９３  ねじ部材
【図１】
2013202006.tif 000003
【図２】
2013202006.tif 000004
【図３】
2013202006.tif 000005
【図４】
2013202006.tif 000006
【図５】
2013202006.tif 000007
【図６】
2013202006.tif 000008
【図７】
2013202006.tif 000009
【図８】
2013202006.tif 000010
【図９】
2013202006.tif 000011
【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
ロータアームの先端に糸案内姿勢と糸開放姿勢とに揺動自在に装着され釣り糸をスプールに案内するスピニングリールの釣り糸案内機構であって、
金属製の外側部材と、前記外側部材の内側面に固定される合成樹脂製の内側部材とを、有し、前記ロータアームの先端に揺動自在に装着された支持部材、
を備えるスピニングリールの釣り糸案内機構。
【請求項２】
前記外側部材は、アルミニウム合金及びマグネシウム合金のいずれかを含む軽金属製であり、
前記外側部材の外側面は、めっき処理されている、
請求項１に記載のスピニングリールの釣り糸案内機構。
【請求項３】
前記外側部材は、内側面が開口する凹部を、有し、
前記内側部材は、前記凹部に装着され固定される、
請求項１又は２に記載のスピニングリールの釣り糸案内機構。
【請求項４】
前記内側部材は、前記外側部材の内側面にねじ止め固定される、
請求項１から３のいずれか１項に記載のスピニングリールの釣り糸案内機構。
【請求項５】
前記内側部材は、前記外側部材の内側面に溶着固定される、
請求項１から３のいずれか１項に記載のスピニングリールの釣り糸案内機構。
【請求項６】
一端が前記支持部材に固定された固定軸と、
前記固定軸に回動自在に支持され、周面に前記釣り糸を案内するローラを有するラインローラと、
をさらに備える請求項１から５のいずれか１項に記載のスピニングリールの釣り糸案内機構。
【請求項７】
釣竿に装着され、釣り糸を前方に繰り出し可能なスピニングリールであって、
前記釣竿に装着されたリール本体と、
前記リール本体に前後方向に沿って移動可能に装着されたスプール軸と、
前記スプール軸の前端に装着され、外周に前記釣り糸が巻き付けられるスプールと、
前記スプールの外周側に回転可能に設けられ、先端に前記ロータアームを有し、前記釣り糸を前記スプールに巻き付けるロータと、
前記請求項１から６のいずれか１項に記載された前記釣り糸案内機構と、
を備えたスピニングリール。
【手続補正２】
【補正対象書類名】明細書
【補正対象項目名】全文
【補正方法】変更
【補正の内容】
【発明の詳細な説明】
【技術分野】
【０００１】
本発明は、釣り糸案内機構、特に、ロータアームの先端に糸案内姿勢と糸開放姿勢とに揺動自在に装着され釣り糸をスプールに案内するスピニングリールの釣り糸案内機構及びスピニングリールに関する。
【背景技術】
【０００２】
スピニングリールには、釣り糸をスプールに案内する釣り糸案内機構がロータの先端に設けられている。ロータは、リール本体に回転自在に装着された円筒部と、円筒部の後部に対向して一体で形成された第１ロータアーム及び第２ロータアームを有している。釣り糸案内機構は、この２つのロータアームの先端に糸案内姿勢と糸開放姿勢との間で揺動自在に装着されている。この種の釣り糸案内機構は、第１ロータアームに揺動自在に設けられた第１支持部材と、第２ロータアームの先端に揺動自在に設けられた第２支持部材と、両支持部材を連結するベールとを有している。第１支持部材の先端には、釣り糸を案内するためのラインローラと、ラインローラを支持するための固定軸及び固定軸カバーとが装着されている。第１支持部材は支持部材の一例である。ベールの一端は固定軸カバーに固定されている。ベールの他端は第２支持部材にかしめ固定されている（たとえば、特許文献１参照）。第１支持部材と第１ロータアームとの間には、ベール反転機構が設けられる。ベール反転機構は、糸開放姿勢にある釣り糸案内機構をロータの糸巻取方向の回転に連動して糸巻取姿勢に戻す機構である。
【０００３】
このような釣り糸案内機構では、第１ロータアームに揺動自在に装着される第１支持部材は、アルミニウム合金により形成され、支持部材の外側面には、外周部の傷付きを防止するため、めっき処理によるめっき層が形成されている。支持部材の内側面には、ベール反転機構を連結するための係合部等の連結構造、及び支持部材の揺動範囲を規制するための突起等の規制構造を含む複雑な形状が形成されている。
【先行技術文献】
【特許文献】
【０００４】
【特許文献１】特開平１０−２３４２７７号公報
【発明の概要】
【発明が解決しようとする課題】
【０００５】
前記従来の釣り糸案内機構は、支持部材が金属製であるため、軽量化を図りにくい。また、金属製の支持部材にベール反転機構との連結構造及び支持部材の揺動範囲の規制構造を形成しなければならないので、機械加工が必要になり、支持部材の製造コストが増加する。
【０００６】
本発明の課題は、スピニングリールの釣り糸案内機構において、支持部材の軽量化を図るとともにコストの増加を抑えることにある。
【課題を解決するための手段】
【０００７】
発明１に係るスピニングリールの釣り糸案内機構は、ロータアームの先端に糸案内姿勢と糸開放姿勢とに揺動自在に装着され釣り糸をスプールに案内するスピニングリールの釣り糸案内機構であって、支持部材を備えている。支持部材は、ロータアームの先端に揺動自在に装着されている。支持部材は、金属製の外側部材と、合成樹脂製の内側部材とを有している。内側部材は、外側部材の内側面に固定される。
【０００８】
この釣り糸案内機構では、支持部材は、金属製の外側部材と合成樹脂製の内側部材とにより構成される。これにより支持部材全体を金属によって形成する場合に比べて支持部材が軽量化し、釣り糸案内機構の軽量化を図れる。また、支持部材の内側面に形成される構造を機械加工ではなく成形によって形成できるため、支持部材の製造コストの増加を抑えることができる。
【０００９】
発明２に係るスピニングリールの釣り糸案内機構は、発明１の釣り糸案内機構において、外側部材は、外側面がめっき処理されたアルミニウム合金及びマグネシウム合金のいずれかを含む軽金属製である。
【００１０】
この場合には、アルミニウム合金製又はマグネシウム合金製の外側部材は、外側面にめっき処理が施された部材であるので、支持部材の外周部の傷付きを防止できる。さらに、ここでは、内側部材は、固定部材が挿通される貫通孔が内周部に形成された合成樹脂製の部材であるので、従来のように貫通孔の周囲にめっき膨れが生じることがなくなる。したがって、支持部材はロータアームに対して滑らかに揺動するので、支持部材の動作不良が発生するのを防止できる。
【００１１】
発明３に係る釣り糸案内機構は、発明１又は２の釣り糸案内機構において、外側部材は、内側面が開口する凹部を有している。内側部材は、凹部に装着され固定されている。この場合、内側部材を外側部材の凹部に装着固定しているので、内側部材が内側に突出することなくコンパクトに配置できる。
【００１２】
発明４に係る釣り糸案内機構は、発明１から３のいずれかの釣り糸案内機構において、内側部材は、外側部材の内側面にねじ止め固定されている。この場合、内側部材の外側部材に対する着脱を容易に行える。
【００１３】
発明５に係る釣り糸案内機構は、発明１から３のいずれかの釣り糸案内機構において、内側部材は、外側部材の内側面に溶着固定されている。この場合、内側部材の外側部材に対する固定が強固になる。
【００１４】
発明６に係る釣り糸案内機構は、発明１から５のいずれかの釣り糸案内機構において、固定軸とラインローラとをさらに備えている。固定軸の一端は、支持部材に固定されている。ラインローラは、固定軸に回動自在に支持され、周面に釣り糸を案内するローラを、有している。この場合、固定軸及びラインローラを有する第１支持部材の外周部の傷付きを防止できるとともに、第１支持部材の動作不良が発生するのを防止できる。
【００１５】
発明７に係るスピニングリールは、釣竿に装着され釣り糸を前方に繰り出し可能なスピニングリールであって、釣竿に装着されたリール本体と、リール本体に前後方向に沿って移動可能に装着されたスプール軸と、スプール軸の前端に装着され外周に釣り糸が巻き付けられるスプールと、スプールの外周側に回転可能に設けられ先端にロータアームを有し釣り糸をスプールに巻き付けるロータと、発明１から６のいずれか１項に記載された釣り糸案内機構とを備えている。
【発明の効果】
【００１６】
本発明によれば、支持部材は、金属製の外側部材と合成樹脂製の内側部材とにより構成される。これにより支持部材全体を金属によって形成する場合に比べて支持部材が軽量化し、釣り糸案内機構の軽量化を図れる。また、支持部材の内側面に形成される構造を機械加工ではなく成形によって形成できるため、支持部材の製造コストの増加を抑えることができる。
【図面の簡単な説明】
【００１７】
【図１】本発明の一実施形態によるスピニングリールの側面図。
【図２】前記スピニングリールの側面断面図。
【図３】第１ベール支持部材の拡大断面図。
【図４】前記第１ベール支持部材の斜視図。
【図５】ベールアームの拡大断面図。
【図６】ベールアームの先端部分の平面図。
【図７】抜け止め部材の内側から見た拡大正面図。
【図８】他の実施形態の図３に相当する図。
【図９】他の実施形態の図４に相当する図。
【発明を実施するための形態】
【００１８】
本発明の一実施形態を採用したスピニングリールは、図１に示すように、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。なお、ハンドル１は、リール本体２の左右いずれにも装着可能である。
【００１９】
リール本体２は、図２に示すように、内部に空間を有するリールボディ２ａと、リールボディ２ａの空間を塞ぐためにリールボディ２ａに着脱自在に装着される蓋部材２ｂ（図１参照）とを有している。また、リール本体２は、リールボディ２ａ及び蓋部材２ｂの後部を覆う本体ガード２ｄを有している。
【００２０】
リールボディ２ａは、図２に示すように、たとえばマグネシウム合金やアルミニウム合金等の軽合金製のものであり、上部に前後に延びるＴ字形の竿取付脚２ｃが一体形成されている。リールボディ２ａの空間内には、図２に示すように、ロータ駆動機構５と、オシレーティング機構６とが設けられている。
【００２１】
蓋部材２ｂは、図１に示すように、たとえば、マグネシウム合金やアルミニウム合金等の軽合金製のものである。蓋部材２ｂは、たとえば、ロータ３で隠れる前側の２箇所で固定ボルトによりリールボディ２ａに固定されているとともに、ロータ３から離反する後側の１箇所で固定ボルトによりリールボディ２ａに固定されている。
【００２２】
ロータ駆動機構５は、図２に示すように、ハンドル１が固定されたマスターギア軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ第１軸受１４ａ、第２軸受１４ｂを介してリール本体２に回転自在に支持されている。
【００２３】
オシレーティング機構６は、図２に示すように、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２４】
ロータ３は、図２に示すように、リール本体２に対して前後方向の軸回りに回転自在なロータ本体７と、ロータ本体７の後部を覆う第１カバー部材３３と、第１ロータアーム３１及び第２ロータアーム３２の外側面を覆う１対の第２カバー部材３４及び第３カバー部材３５とを有している。
【００２５】
ロータ本体７は、図２に示すように、たとえばアルミニウム合金製であり、ピニオンギア１２に回転不能に連結され、リール本体２に対して回転自在である。ロータ本体７は、リール本体２の前部である円筒部を内部に配置可能に後部に形成された凹陥部を有する筒部３０と、筒部３０の後部の対向する位置に接続され筒部３０と間隔を隔てて前方に延びる第１ロータアーム３１及び第２ロータアーム３２とを有している。
【００２６】
筒部３０は、図２に示すように、前部内周側に円板状の壁部を有し、壁部の中心部には、ピニオンギア１２と一体回転可能に連結される環状のボス部が形成されている。このボス部の中心にピニオンギア１２の前部が回転不能に係止され、ピニオンギア１２の先端にねじ込まれたナット１３により、ロータ本体７がピニオンギア１２に固定されている。
【００２７】
第１カバー部材３３は、筒部３０の周囲でロータ本体７の後部を覆うように構成されている。第２カバー部材３４は、第１ロータアーム３１の外方を覆うものであり、第１ロータアーム３１にねじ込まれる固定ボルトにより第１ロータアーム３１に連結されている。
【００２８】
第２カバー部材３４は、図２に示すように、第１カバー部材３３及び第１ロータアーム３１と三次元的な曲線で接合している。第２カバー部材３４の先端部は、後述する第１ベール支持部材４０（本発明の支持部材の一例）を配置可能に概ね半円形に切り欠かれる。
【００２９】
第３カバー部材３５は、図２に示すように、第２ロータアーム３２の外方を覆うものであり、固定ボルト及びそれに螺合するナット部材により第２ロータアーム３２に固定される。第３カバー部材３５も第１カバー部材３３及び第２ロータアーム３２と三次元的な曲線で接合している。固定ボルトは、第３カバー部材３５をロータ本体７に固定するするとともに、後述する第２ベール支持部材４２を揺動自在に支持する機能も有している。
【００３０】
第１ロータアーム３１及び第２ロータアーム３２の先端には、ベールアーム４４（釣り糸案内機構の一例）が揺動自在に装着されている。ベールアーム４４は、第１ベール支持部材４０と、第２ベール支持部材４２と、ベール４３と、固定軸４５と、ラインローラ４１と、固定軸カバー４６と、を有している。第１ベール支持部材４０は、支持部材の一例である。ベールアーム４４は、図２に示す糸案内姿勢とそれから反転した糸開放姿勢との間で揺動自在である。
【００３１】
第１ベール支持部材４０は、第１ロータアーム３１の先端に揺動自在に装着される部材である。第１ベール支持部材４０は、図３及び図４に示すように、外側面にめっき処理が施されたアルミニウム合金製の外側部材９１と、外側部材９１の内側面に固定される合成樹脂製の内側部材９２と、を有している。第１ベール支持部材４０は、ボルトの形態の固定部材９０により第１ロータアーム３１の外側に揺動自在に支持される。固定部材９０は、頭部９０ａと、頭部９０ａより小径のねじ軸９０ｂと、を有している。
【００３２】
外側部材９１は、図３に示すように、外側面が滑らかに湾曲して、例えばダイキャストにより形成されたアルミニウム合金製の部材である。外側部材９１の外周面にはめっき処理によるめっき層が形成されている。外側部材９１は、凹部９１ａと、第１貫通孔９１ｂと、ねじ穴９１ｃと、を有している。凹部９１ａは、前方側（図３左側）の内側面に凹んで形成される。第１貫通孔９１ｂは、後方側（図３右側）の内外側面を貫通する。第１貫通孔９１ｂを貫通して固定部材９０が第１ロータアーム３１にねじ込まれる。ねじ穴９１ｃは、凹部９１ａの前端内側面に凹んで形成される。ねじ穴９１ｃには、内側部材９２を外側部材９１に固定するねじ部材９３が螺合する。
【００３３】
内側部材９２は、凹部９１ａに装着され固定されている。内側部材９２は、ねじ部材９３によって外側部材９１の内側面にねじ止め固定される。内側部材９２は、図４に示すように、射出成型により形成された合成樹脂製部材である。内側部材９２は、第１部分９２ａと、第１部分９２ａと一体形成された第２部分９２ｂと、を有している。第１部分９２ａは、後方側（図４下側）に形成される。第１部分９２ａの中央部には、固定部材９０の頭部９０ａが配置される座繰り凹部９２ｇと、固定部材９０の軸部９０ｂが挿入される第２貫通孔９２ｃと、が形成される。第２貫通孔９２ｃは、図３に示すように、第１部分９２ａの内外を貫通する貫通孔であって、第１貫通孔９１ｂと連通している。第２貫通孔９２ｃの周囲の内側部材９２の内側面には、図４に示すように、第１ベール支持部材４０の揺動範囲を規制する規制突起９２ｅと、図示しないベール反転機構のトグルバネ機構を係止する係止穴９２ｆと、が形成される。また、内側面には、軽量化を図るための複数の肉盗み部が形成されている。
【００３４】
第２部分９２ｂは、後方側（図４下側）で第１部分９２ａと一体で形成される。第２部分９２ｂは、外側部材９１の凹部９１ａに装着される。第２部分９２ｂの前端部には、図３に示すように、内外を貫通する段付きの第３貫通孔９２ｄが形成されており、第３貫通孔９２ｄは、外側部材９１のねじ孔９１ｃに連通している。ねじ部材９３は、頭部９３ａと、頭部９３ａより小径のねじ軸９３ｂと有する。ねじ部材９３を内側部材９２の内側から挿入し、頭部９３ａが第３貫通孔９２ｄの周縁部に接触し、ねじ軸９３ｂの先端部が外側部材９１に形成されたねじ孔９１ｃに螺合している。これによって、内側部材９２が外側部材９１の内側面にねじ部材９３によってねじ止め固定される。
【００３５】
固定部材９０は、外側部材９１の外側から外側部材９１の第１貫通孔９１ｂを挿通し、大径の頭部９０ａが第２貫通孔９２ｃの座繰り凹部９２ｇに接触し、ねじ軸９０ｂの先端部が第１ロータアーム３１に形成されたねじ孔３１ａに螺合している。これによって、第１ベール支持部材４０が第１ロータアーム３１に揺動自在に装着される。
【００３６】
第１ベール支持部材４０は、図１から図３に示すように、第１ロータアーム３１に揺動自在に装着される第１回転支持部４０ａと、第１回転支持部４０ａから前方に延びる第１アーム部４０ｂと、概ね円形の第１装着部４０ｃと、を有している。第１回転支持部４０ａは、外側部材９１と内側部材９２とに設けられる。第１アーム部４０ｂは、概ね外側部材９１に設けられる。第１装着部４０ｃは、全部が外側部材９１に設けられる。第１装着部４０ｃは、第１アーム部４０ｂの先端に一体成形される。第１装着部４０ｃには、ベールアーム４４のラインローラ４１、固定軸４５及び固定軸カバー４６が装着される。
【００３７】
第１装着部４０ｃは、図５及び図６に示すように、凹部４０ｄと、第４貫通孔４０ｅと、第５貫通孔４０ｇと、を有している。凹部４０ｄは、固定軸４５にねじ止めされる固定ボルト４７が取り付けられる部分の周囲の形状が略雨滴形状となるように内側（図５左側）に凹んで形成される。第５貫通孔４０ｇは、凹部４０ｄの略雨滴形状の略大円形の基端部に形成される。第５貫通孔４０ｇには、固定ボルト４７が挿入される。第４貫通孔４０ｅは、凹部４０ｄの略雨滴形状の略小円形の先端部に形成される。第４貫通孔４０ｅは、第１ベール支持部材４０の内側からキャップ部材８０を装着するために設けられる。キャップ部材８０装着用の第４貫通孔４０ｅは、図５に示すように、固定ボルト４７装着用の第５貫通孔４０ｇの近傍に配置される。第４貫通孔４０ｅは、第５貫通孔４０ｇに固定ボルト４７を装着した状態で第１ベール支持部材４０の外部からラインローラ４１のローラ４１ａ内周部を臨むように貫通する貫通孔である。第４貫通孔４０ｅは、径方向内側に突出した段差部４０ｆを有している。第４貫通孔４０ｅは、第１ベール支持部材４０の内側からキャップ部材８０を装着したときに、キャップ部材８０の外側面が段差部４０ｆに接触することによって、キャップ部材８０が第１ベール支持部材４０の外側に突出しないように位置決めされる。
【００３８】
キャップ部材８０は、第１ベール支持部材４０の第４貫通孔４０ｅに第１ベール支持部材４０の内側から装着される略円筒状の合成樹脂製の部材である。キャップ部材８０は、ラインローラ４１の内周部に潤滑油を注油するための中央部に細孔からなる注油孔８０ａを有する環状部材である。キャップ部材８０は、キャップ部材８０の内側面に接触するように板状の抜け止め部材８１を第１ベール支持部材４０の内側から押圧するように装着することによって、第１ベール支持部材４０に固定される。
【００３９】
抜け止め部材８１は、図５、図６及び図７に示すように、中央部に第１ベール支持部材４０の固定ボルト４７装着用の第５貫通孔４０ｇと連通する第６貫通孔８１ａと、両側の一部が切り欠かれ一方側が第１ベール支持部材４０の第４貫通孔４０ｅ及びキャップ部材８０の注油孔８０ａと連通する２つの切り欠き部８１ｂとを有している。第６貫通孔８１ａは、図６に示すように、内形が略矩形の非円形孔となるように形成されており、固定軸４５の先端部の非円形部４５ａ（図５参照）に相対回転不能に係合している。このため、抜け止め部材８１をラインローラ４１の構成部品と同時に組み立てることができる。これにより、抜け止め部材８１が組立時に脱落しにくくなる。
【００４０】
ラインローラ４１は、図５に示すように、第１ベール支持部材４０の先端に設けられ釣り糸をスプール４に案内する部材である。ラインローラ４１は、外周面に釣り糸を案内する溝が形成された筒状のローラ４１ａと、ローラ４１ａの内周側に軸方向に間隔を隔てて配置された２つの軸受とを有している。ローラは２つの軸受を介して固定軸４５に回動自在に支持されている。
【００４１】
固定軸４５は、第１ベール支持部材４０の先端から突出しラインローラ４１を回転自在に支持する部材である。固定軸４５は、固定軸カバー４６と別体で形成されたアルミニウム合金製のナット部材である。固定軸４５は、固定軸カバー４６側の基端から第１ベール支持部材４０側の先端に向かって延びており、先端が固定ボルト４７により第１ベール支持部材４０に固定されている。
【００４２】
固定軸カバー４６は、固定軸４５の基端に設けられ、ラインローラ４１の外径より大きい外径を有している。固定軸カバー４６は、固定軸４５の基端に第１ベール支持部材４０の装着部と間隔を隔てて設けられ、鍛造等の型成形により形成されている。固定軸カバー４６は、頂点が中心からずれた略円錐形状の部材であり、固定軸４５の中心を基準にしてリールの後方でかつスプール４の径方向外方に頂点が向いている。固定軸カバー４６の頂点より釣り糸案内側に偏倚してベール４３が一体成形され、ベール４３は頂点付近の稜線部分と滑らかに接合されている。
【００４３】
ベール４３は、図１及び図２に示すように、固定軸カバー４６と第２ベール支持部材４２との間を連結して釣り糸をラインローラ４１に案内する部材である。ベール４３は、一端が固定軸カバー４６とステンレス合金の鍛造により一体成形され、他端が第２ベール支持部材４２にかしめ固定された針金状の部材であり、スプール４の周方向外方に凸に湾曲して配置されている。ベール４３は、ベールアーム４４が糸開放姿勢から糸案内姿勢に復帰したときに固定軸カバー４６を介して釣り糸をラインローラ４１に導くためのものである。
【００４４】
第２ベール支持部材４２は、第２ロータアーム３２の先端に揺動自在に装着される部材である。第２ベール支持部材４２は、亜鉛合金によって形成されたアーム部材であり、ベール４３の端部を支持するためのものである。第２ベール支持部材４２は、図１、図２及び図４に示すように、第２ロータアーム３２に揺動自在に装着される第２回転支持部４２ａと、第２回転支持部４２ａから前方に延びる第２アーム部４２ｂと、第２アーム部４２ｂの先端に一体成形されベールアーム４４のベール４３が装着される第２装着部４２ｃとを有している。
【００４５】
ロータ３の筒部３０の内部には、図２に示すように、ロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００４６】
スプール４は、図２に示すように、ロータ３の第１ロータアーム３１と第２ロータアーム３２との間に配置されており、スプール軸１５の先端にドラグ機構６０を介して装着されている。スプール４は、図２に示すように、外周に釣り糸が巻かれる糸巻胴部４ａと、糸巻胴部４ａの後方に糸巻胴部４ａと一体形成された筒状のスカート部４ｂと、糸巻胴部４ａの前端に設けられた大径の前フランジ部４ｃとを有している。
【００４７】
ドラグ機構６０は、図２に示すように、スプール４の回転を制動するものであり、スプール軸１５の先端に螺合するドラグ調整つまみ６１と、ドラグ調整つまみ６１により押圧されてスプール４を制動する制動部６２とを有している。
【００４８】
次にリールの操作及び動作について説明する。
【００４９】
キャスティング時にはベールアーム４４を糸開放姿勢に反転させる。これにより第１ベール支持部材４０及び第２ベール支持部材４２は揺動する。この状態で釣竿を握る手の人差し指で釣り糸を引っかけながら釣竿をキャスティングする。すると釣り糸は仕掛けの重さにより勢いよく放出される。仕掛けが着水した後ハンドル１を釣り糸巻き取り方向に回転させると、ロータ駆動機構５によりロータ３が釣り糸巻き取り方向に回転し、ベールアーム４４が図示しないベール反転機構により糸巻き取り姿勢に復帰しロータ３の逆転が禁止されているので釣り糸の放出が止まる。
【００５０】
釣り糸を巻き取る際には、ハンドル１を釣り糸巻き取り方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。
【００５１】
このようなスピニングリールのベールアーム４４では、第１ベール支持部材４０は、外側面にめっき処理が施されたアルミニウム合金製の外側部材９１と、外側部材９１の内側面に固定され固定部材９０が挿通される第２貫通孔９２ｃが内周部に形成された合成樹脂製の内側部材９２とを有している。ここでは、外側部材９１は、外側面にめっき処理が施されたアルミニウム合金製の部材であるので、第１ベール支持部材４０の外周部の傷付きを防止することができる。さらに、ここでは、内側部材９２は、固定部材９０が挿通される第２貫通孔９２ｃが内周部に形成された合成樹脂製の部材であるので、従来のように第２貫通孔９２ｃの周囲にめっき膨れが生じることがなくなる。したがって、第１ベール支持部材４０は第１ロータアーム３１に対して滑らかに揺動するので、第１ベール支持部材４０の動作不良が発生するのを防止することができる。
【００５２】
〔他の実施形態〕
（ａ）  前記実施形態では、ベール４３と固定軸カバー４６とが一体成形され、固定軸４５と固定軸カバー４６とが別体で形成されていたが、ベール４３、固定軸４５及び固定軸カバー４６を一体成形してもよいし、ベール４３、固定軸４５及び固定軸カバー４６を別体で形成してもよい。また、ベール４３、固定軸４５及び固定軸カバー４６の材質や製造方法は、ステンレス合金やアルミニウム合金以外の他の金属であってもよいし、鍛造や切削加工以外の他の加工方法であってもよい。
【００５３】
（ｂ）  前記実施形態では、第２ベール支持部材４２及びベール４３を有するベールアーム４４であったが、第２ベール支持部材４２及びベール４３を有さないベールレス型のベールアーム４４にも本発明を適用できる。
【００５４】
（ｃ）  前記実施形態では、本発明の支持部材の一例として、第１ベール支持部材４０を例にあげて説明したが、第２ベール支持部材４２に本発明を適用してもよい。
【００５５】
（ｄ）  前記実施形態では、外側部材９１は、固定部材９０が挿入される第１貫通孔９１ｂを有していたが、図８に示すように、第１貫通孔９１ｂを設けないで、固定部材９０を内側部材９２の第２貫通孔９２ｃに挿入し第１ロータアーム３１に固定した後に内側部材９２を外側部材９１に固定するようにしてもよい。この場合には、固定部材９０の頭部が外側部材９１の外部に露出しないので、固定部材９０の頭部に釣り糸が引っ掛かるのを防止できる。
【００５６】
（ｅ）  前記実施形態では、内側部材９２は、外側部材９１の内側面にねじ部材９３によってねじ止め固定されていたが、図９に示すように、内側部材９２を外側部材９１の内側面に溶着固定してもよい。
【００５７】
（ｆ）  前記実施形態では外側部材９１は、ダイキャストによって形成したが、鍛造によって形成してもよい。また、外側部材の材質はアルミニウム合金の他にマグネシウム合金又はステンレス合金でもよい。さらに、ステンレス合金製の薄板をプレス加工して外側部材を形成してもよい。ステンレス合金を用いた場合は表面のメッキ処理は施さなくてよい。
【符号の説明】
【００５８】
４  スプール
３１  第１ロータアーム
４０  第１ベール支持部材
４１  ラインローラ
４４  ベールアーム
４５  固定軸
９０  固定部材
９１  外側部材
９１ａ  凹部
９２  内側部材
９２ｃ  第２貫通孔
９３  ねじ部材